(57)【要約】【課題】ゴルフにおけるショートアプローチの寄せワン率（ボールをピンに寄せて、１パットで入れる率）を高めるための最適なクラブ選択及び落とし所（キャリーさせる距離）を判断することができ、携帯性、使用の簡便性及びデザイン性に優れたるゴルフアプローチ支援携帯具を提供すること。【解決手段】本発明に係わるゴルフアプローチ支援携帯具は、ショートアプローチにおいて最適なクラブ選択及び落とし所（キャリーさせる距離）の判断可能なものとするために、通常使用する頻度の高い複数のクラブ番手ごとのキャリーとラン比のデータ・情報を基に、キャリーとランの比率に影響するアプローチ環境等の状況変化に対応できる補正機能を有したものとすることで、ショートアプローチの寄せワン率を向上させることが可能となる。。【選択図】 図１
2015077286.tif 000002
【特許請求の範囲】
【請求項１】
ゴルフのショートアプローチにおけるクラブの番手ごとのキャリー／ラン比の計測データ・情報を基に、ボールの落とし所（キャリー）までの距離及びクラブ選択の最適な判断を可能にし、寄せワン率を高めることを支援することを特徴とするゴルフアプローチ支援携帯具。
【請求項２】
HYPERLINK "図１.jpg" 図１に示すように縦軸にボールからピンまでの距離、横軸にボールから落とし所までのキャリーの距離とし、２b使用クラブ番手に示すように、通常、ショートアプローチに用いられる複数のクラブにおけるキャリーとラン比を、２c番手キャリーとラン比のごとくグラフ化し、縦軸のボールからピンまでの距離、横軸のボールから落とし所までのキャリー距離の交点から最適なクラブ選択と落とし所までのキャリーの距離が判断できる機能を特徴とするゴルフアプローチ支援携帯具。
【請求項３】
請求項２の縦軸のボールからピンまでの距離、横軸のボールから落とし所までのキャリーの距離の交点を確認し、クラブ選択と落とし所までのキャリーの距離を的確に判断するために、４a縦軸距離設定スライダー及び５a横軸距離設定スライダーで構成する距離設定機能を持つゴルフアプローチ支援携帯具。
【請求項４】
特に、ショートアプローチにおいては、キャリーとラン比はグリーンの傾斜及び天候、打ち方の個人差等によって異なることから、キャリーとラン比の補正機能を有し、複数のクラブのキャリーとラン比グラフの延長線が交わる近傍の位置を支点に円弧方向の補正が可能な方式を特徴とするゴルフアプローチ支援携帯具。
【請求項５】
請求項１及び４の機能を有するために、可変式のキャリーとラン比グラフ、縦及び横軸距離設定等の部品とそれらを収納するケース等で構成され、それぞれがプラスチック部材からなるゴルフアプローチ支援携帯具。
【請求項６】
本発明による機能と操作の方法は、ディスプレー付の電子装置に組み込む場合がある。
【請求項７】
短時間でのクラブ選択と落とし所までのキャリーの距離の判断が可能で、かつ、携帯性やデザイン性を特徴とするゴルフアプローチ支援携帯具。
【発明の詳細な説明】
【技術分野】
【０００１】
本発明は、ゴルフにおける寄せワン率向上のためのショートアプローチを支援する携帯品に関するものである。
【背景技術】
【０００２】
多くの場合、特にボールからピンまでの距離が３０ヤード圏内においては、グリーンの状況に応じたクラブの選択、キャリーとラン比を考慮したボールの落とし所等の判断がファジーに行われている傾向が多く見られ、ショートアプローチの低い寄せワン率に留まっている傾向となっているのが実状である。
一方、ショートアプローチ以外のグリーンを狙ったショットを支援するために、クラブ選択、残りの距離等の情報を提供し、ショットの精度を高め、パーオン率を上げるために下記に示す支援器具が開示されている。
【０００３】
特許文献１には、簡易な構成でカップまでの残り距離を算出する手段とその算出した残りの距離情報を提供する器具が開示されている。
【特許文献１】特開２０１２−１３９５１１号広報
【０００４】
特許文献２には、実際のゴルフ場のコースレイアウトを表示したり、現在位置を測位しプレイヤーの移動とともに、現在位置やグリーンまでの残り距離等をリアルタイムに通知したりするゴルフ支援装置が開示されている。
【特許文献２】特開２０１１−２１２４１９号広報
【０００５】
特許文献３には、狙う方向及び番手の選択や、戦略の決定といった判断に必要な情報を表示し、ゴルフプレー迅速かつ円滑に進行させることが可能なゴルフプレー支援装置が開示されている。
【特許文献３】特開２００９−２９１５５２号広報
【０００６】
特許文献４には、携帯端末に表示されたゴルフコースのプレイ情報に基づいて、最適なゴルフクラブの選択を支援するゴルフクラブ選択支援装置が開示されている。
【特許文献４】特開２００３−０６２１４５号公報
【０００７】
非特許文献１には、本発明の契機となったショートアプローチの寄せワン率アップのために、通常ショートアプローチで使用される８Ｉ／９Ｉ／ＰＷ／ＡＷ／ＳＷの５本のクラブによるキャリーとラン比の計測データが公開されている。
【非特許文献１】「ゴルフダイジェスト ２０１１ Ｎｏ．３０」目指せ寄せワン率５０％  ｐ．１０１〜１０８
【発明の概要】
【発明が解決しようとする課題】
【０００８】
ショートアプローチの場合、端的に言えば、どのクラブで、どこに落とせばワンパット圏内に寄せられるか、つまり、寄せワン率を高められるかが重要な課題となる。
【０００９】
寄せワン率を高めるためには、クラブの番手及びグリーンの傾斜等の条件によって異なるキャリーとランの距離の比率を把握し、目安のキャリー（落とし所）を判断し、クラブを選択することが望まれる。
【００１０】
クラブ選択とキャリーとラン比を考慮した落とし所の判断は、多くの場合、ファジーに行われていることから、余程の経験を積まない限り、寄せワン率の向上、安定的な維持は望めないのが現状である。
【００１１】
また、同じ番手のクラブでもピン（カップとも言う））までの距離により、キャリーとランの距離の比率が異なってくるので、キャリーとラン比を熟知し、落とし所（キャリー）を的確に判断できない限り、一層、寄せワン率の安定的な維持が難しい。
【００１２】
更に、グリーンの傾斜等の状況、天候等によるキャリーとラン比の変化はもとより、打ち方の個人差によっても幅の大きいキャリーとラン比の違いが生じることで、その違いを認識し、解消するデータ・情報を提供することが課題となる。
【００１３】
そういった課題がある中で、特許文献１から４から見ても、グリーン周りのショートアプローチ情報に関する器具は提供されていない。
【００１４】
一方、非特許文献１では、キャリー値１ヤード及び５ヤードのキャリーとラン比は示されているものの、その間のキャリーとラン比は示されてないことから、例えば、２，３，４ヤードでのキャリーとラン比の判断はファジーにならざるを得ない。
因みに、例えば、ピッチングウェッジ（ＰＷ）の場合、キャリー１ヤードでのランは、ほぼ４倍、キャリー５ヤードでは１．５倍と大きく変化し、その変化の傾斜からみて、キャリー２ヤードでは２．３倍、３ヤードでは１．８倍、４ヤードでは１．６倍となることから、ショートアプローチの寄せワン率を高める的確な判断を下すことは難しい。
【課題を解決するための手段】
【００１５】
上記課題を解消するために、本発明は、以下のような特徴を有する。
本発明は、３０ヤード圏内のショートアプローチにおいて、 図２に示すように縦軸に打ち出すボールの位置からピンまでの距離の示したヤード表示の目盛と横軸にボールの落とし所（キャリー）の目盛上に、 図３に示す一種類以上のクラブのキャリーとラン比をグラフ化し、ピンまでの距離及び落としたい所までの距離の交点から最適なクラブの選択、落とし所までの目安の距離を判断することができるゴルフアプローチ支援携帯具を提供する。
【００１６】
課題を解消するためのキャリーとラン比データは、８Ｉ／９Ｉ／ＰＷ／ＡＷ／ＳＷ等のクラブ５本においては、非特許文献１及び他の公開媒体で明確に示されているので、それらを活用するとよい。
【００１７】
キャリーとラン比は、グリーンの傾斜及び天候、打ち方の個人差等によって異なることから、比率の補正機能を設けることで課題を解消するとよい。
【００１８】
以上の課題を考慮に入れ、携帯性、使用の簡便性及びデザイン性に優れたるゴルフアプローチ支援携帯具を提供するとよい。
【発明の効果】
【００１９】
十分に整備された実際のグリーン周りで傾斜等の条件を変え、補正機能を駆使した本発明のゴルフアプローチ支援携帯具を使用した実用テストの結果では、ゴルフアプローチ支援携帯具で選択したクラブによって、落とし所までのキャリーを確保できた場合、実用テストに携わった複数のアベレージゴルファーにおいては、寄せワン率の確実な向上が観察された。
また、グリーンの状況、落とし所へのキャリーのイメージに基づいた複数のクラブからの選択によって、ミスの少ない、やさしいアプローチが可能になる効果も見られた。
因みに、本発明のゴルフアプローチ支援携帯具を使用することなく、ファイジーなクラブの選択と落とし所（キャリー）の距離等の判断による寄せワンの程度は、当該ゴルフアプローチ支援携帯具を使用した場合と比較して低く、多くの場合、不適切な判断結果となっていることも判明した。
【００２０】
更に、副次的な効果としては、ショートアプローチでのファジーなクラブ選択、落とし所の判断による不安から開放され、データに基づくそれらの決断が行えることでアプローチショットにおける心理的な安心感が得られ、寄せワンの確率がより向上することが分かった。
加えて、グリーン狙いの距離のあるショットにおいても、寄せワンに自信が持てるようになることから、なんとしてもグリーンに乗せたいとの過度なプレッシャーから開放され、リラックスした状態でのショットができ易くなることも効果の一つである。
【００２１】
上記の効果の外に、アマチュア競技においてタイトル奪取を目指す、或いはプロを目指す子供たちにとっては、ショートアプローチの教材として、とりわけ寄せワン率を高めるための思考回路を身につける支援ができることも確認できた。
【発明を実施するための形態】
【００２２】
以下、本発明を図面に示した実施の形態により詳細に説明する。
図１は本発明の一実施形態に係るゴルフアプローチ支援携帯具の全体構造を示す正面図、側面図であり、 図２は部品の1aグラフ基板の正面図であり、 図３は図２の1aグラフ基板に重ね合わせる透明プラスチック２aキャリーとラン比グラフシートの正面図である。また、図４には、図２と図３に示すゴルフアプローチ支援携帯具のパーツ以外の構成部品類を収める３aパーツ収納ケースの正面図と縦断面図、４a縦軸距離設定スライダーの正面図、５a横軸距離設定スライダーの正面図と側面図及び図３の６a補正回転支点部用リベットの形状図である。
更に、図５、図６及び図７は、本発明の機能であるクラブ選択及び落とし所（キャリー）をどのように決定していくかの事例を示したもので、図５はゴルフアプローチ支援携帯具により、キャリーとラン比を標準位置とした最適なクラブ選択及び落とし所の距離を判断する事例図であり、図６はキャリーとラン比をプラス（＋）補正した最適なクラブ選択及び落とし所の距離を判断する事例図であり、図７キャリーとラン比をマイナス（―）補正した最適なクラブ選択及び落とし所の距離を判断する事例図である
【００２３】
HYPERLINK "図１.jpg"図１によれば、先ず、アプローチするボールの地点からピンまでの距離を７０cm／歩の間隔で歩測し、４a縦軸距離設定スライダーを縦方向に移動させ、４b縦軸距離設定線を歩測した値に合わせる。次に、グリーンエッジ辺りのボールを落としたい所から、ボール位置までの距離を同様の方法で歩測し、５a横軸距離設定スライダーを横方向に移動させ、５b縦軸距離設定線を歩測した値に合わせ、それらの交点から２c番手キャリーとラン比のグラフから最適と判断なクラブを選択するものである。
但し、歩測値の交点がクラブ番手の中央近辺にあり、どの番手を選択するか迷う場合は、ボールを初期想定した落とし所から実際に落とすべき所まで距離を変更することが必要になるが、いずれにしても、最適なクラブ選択とそれに見合った落とし所（キャリー）の距離を判断する機能を有したゴルフアプローチ支援携帯具を提供する。
【００２４】
また、グリーンのスピード及び傾斜の状況、天候状況、ゴルファーが所有している各クラブヘッドフェース面のクラブ固有の傾斜角（ロフト角）と打ち出す傾斜角の個人差等の条件で、キャリーとラン比は変わるのが通常であることから、状況に応じてキャリーとラン比を補正する必要がある。
補正の手順としては、図１の３e補正回転用開口部を通して、２aキャリーとラン比グラフシートの２e補正回転部位の矢印方向に回転補正する。
補正の程度は、１aグラフ基板に固定表示された１dキャリーとラン比補正目盛と２d キャリーとラン比補正位置マークによってされる機能を有するゴルフアプローチ支援携帯具を提供する。
なお、補正機能を使った場合、クラブ選択及び落とし所の距離が補正ありと、なしでどのように変わるかについての事例は 図５、 図６、 図７に示し、その内容については００２８欄から００３０欄で説明する。
【００２５】
図２のゴルフアプローチ支援携帯具のプラスチック部材からなる１aグラフ基板においては、縦軸にボールからピンまでの距離をヤード単位の目盛を刻み、横にボールの落とし所（キャリー）までの距離をヤード単位の目盛を刻んだ上に、１bキャリーとランの関係図、１cの１：１と１：２のキャリーとラン比ライン、１dキャリーとラン比補正目盛及び１eキャリーとラン比標準位置マークを配したデザインとしたものである。
１bキャリーとランの関係図には、最適な落とし所としてグリーン辺りが推奨されていることを常に意識させることを意図している。
１cの１：１と１：２のキャリーとラン比ラインを配した理由は、図３の２c番手キャリーとラン比のキャリー値ごとに変化するキャリーとラン比と対比し、１：１と１：２といった最もシンプルに確認しやすいキャリーとラン比が、２c番手キャリーとラン比のどの領域に存在しているかを認識することによって、ゴルフアプローチ支援携帯具の有用性が強調されることを意図している。
更に、１dキャリーとラン比補正目盛及び１eキャリーとラン比標準位置マークを配した理由は、諸々の状況によって補正した値の識別及び補正の程度の再現を意図したものである。
【００２６】
図３のゴルフアプローチ支援携帯具の透明プラスチック部材からなる２aキャリーとラン比グラフシートにおいては、２b使用クラブ番手、２c番手キャリーとラン比グラフシート、２d キャリーとラン比補正位置マーク、２e補正回転部位、２f プラス（＋）補正方向、２g マイナス（−）補正方向及び６b補正回転支点部を配したデザインとしている。
また、２d キャリーとラン比補正位置マークは、図２の１dキャリーとラン比補正目盛及び１eキャリーとラン比標準位置マークと一対を成す補正位置表示のためのものであり、滑り止め突起付きの２e補正回転部位を矢印方向に回転させ、補正するものである。
更に、６b 補正回転支点部位置の決定においては、携帯性及びデザイン性を考慮したゴルフアプローチ支援携帯具とするために、本来のあるべき支点と設計上の支点のずれによる補正後のキャリーとラン比の誤差は、許容できる範囲内としている。
なお、２c番手キャリーとラン比グラフシートは、グリーンのスピード８．５フィート、なだらかな上り等の条件下で計測された複数の公開データを基にしている、。
【００２７】
図４のゴルフアプローチ支援携帯具のプラスチック部材からなる３aパーツ収納ケースは、図２のゴルフアプローチ支援携帯具のプラスチック部材からなる１aグラフ基板上に張り合わせる構造となる。
３aパーツ収納ケースには、"図３の２aグラフ透明シート、図４中の５a横軸距離設定スライダーと組み合わされた４a縦軸距離設定スライダー等を収納するもので、３d縦軸距離設定スライド溝部等の空間を有している。
更に、図３の６b補正回転支点部位置には、６a補正回転支点部用リベットが施される。
図４の３aパーツ収納ケースには、パーツの収納空間の他に、３e補正回転用開口部及び３c 軸距離設定スライダー収納用開口部を施したものとなる。
【００２８】
図５は、キャリーとラン比を標準位置としたクラブ選択及び落とし所の距離を判断する事例図である。例えば、ピンまでの距離を２０ヤード、狙いの落とし所（キャリー）の７ヤードとし、その交点をA点とした場合、選択するクラブ番手は９番アイアン（９I）とすることが最適であり、落とし所も狙ったA点の距離の７ヤードでよいことが分かる。
【００２９】
図６では、キャリーとラン比をプラス（＋）補正したクラブ選択及び落とし所の距離を判断する事例図であるが、グリーンのスピードが遅いとか上り傾斜である等でラン比率を増やすべき場合、２e補正回転部位を６b補正回転支点部を軸に２fプラス（＋）補正方向に回転させ、狙いの補正値に設定する。
図５の標準位置の事例と同様にピンまでの距離を２０ヤードとし、狙いの落とし所（キャリー）を７ヤード、選択するクラブ番手はアプローチウェッジ（AW）とすることが最適であり、落とし所も狙ったA点の距離の７ヤードでよいことが分かる。
【００３０】
次に、 図７キャリーとラン比をマイナス（−）補正したクラブ選択及び落とし所の距離を判断する事例図であるが、グリーンのスピードが速いとか下り傾斜である等でラン比率を減らすべき場合、マイナス（−）補正となるが図５の標準位置の事例と同様にピンまでの距離を２０ヤード、狙いの落とし所（キャリー）を７ヤードとし、選択するクラブ番手は８番アイアン（８I）の選択が適しているが、狙いの落とし所（キャリー）を７ヤードの地点にキャリーしたとすれば、B点に位置に落下し、ほぼ２ヤード（１．４ｍ）ショートすることになる。
そこで、ピンまでの距離２０ヤードの地点まで限りなく近づけるためには、選択した８番アイアン（８I）でC点の８ヤードに落とし所を変更する必要があることが分かる。
【００３１】
本発明のショートアプローチにおける最適なクラブの選択、落とし所までの目安の距離の判断する機能は、ゴルフアプローチ支援携帯具として、プラスチック板上に印刷された部材によって形成されるが、ディスプレーを有する電子装置に組み込み、ボールからピンまでの距離、落とし所までの距離及び補正情報等を入力することで、同様の機能を可能にする形態にも応用できる。
【図面の簡単な説明】
【００３２】
【図１】本発明の実施の一形態を示すゴルフアプローチ支援携帯具の全体構造を示す正面図及び側面図である。
【図２】ゴルフアプローチ支援携帯具の１aグラフ基板の正面図である。
【図３】ゴルフアプローチ支援携帯具の図２の１aグラフ基板に重ね合わせる透明プラスチック材の２aキャリーとラン比グラフシートの正面図である。
【図４】ゴルフアプローチ支援携帯具の図２の１aグラフ基板に重ね合わせ、図３の２aキャリーとラン比グラフシート、図４中の４a縦軸距離設定スライダー及び５a横軸距離設定スライダー等を収納する３aパーツ収納ケースの正面図及び横断面図と図３の６a補正回転支点部用リベットの構造図である。
【図５】ゴルフアプローチ支援携帯具により、キャリーとラン比を標準位置としたクラブ選択及び落とし所の距離を判断する事例図である。
【図６】ゴルフアプローチ支援携帯具により、キャリーとラン比をプラス（＋）補正したクラブ選択及び落とし所の距離を判断する事例図である。
【図７】ゴルフアプローチ支援携帯具により、キャリーとラン比をマイナス（−）補正したクラブ選択及び落とし所の距離を判断する事例図である。
【符号の説明】
【００３３】
１a グラフ基板。
１b キャリーとランの関係図。
１c キャリーとラン比（１：１と１：２）。
１d キャリーとラン比補正目盛。
１e キャリーとラン比標準位置マーク。
２a キャリーとラン比グラフシート。
２b使用クラブ番手。
２c番手キャリーとラン比。
２d キャリーとラン比補正位置マーク。
２e 補正回転部位。
２f プラス（＋）補正方向。
２g マイナス（−）補正方向。
３a パーツ収納ケース。
３b グラフ透明シート収納部。
３c 軸距離設定スライダー収納用開口部。
３d 縦軸距離設定スライド溝部。
３e 補正回転用開口部。
４a 縦軸距離設定スライダー。
４b 縦軸距離設定線。
５a 横軸距離設定スライダー。
５b 横縦軸距離設定線。
６a補正回転支点部用リベット。
６b  補正回転支点部。
【図１】
2015077286.tif 000003
【図２】
2015077286.tif 000004
【図３】
2015077286.tif 000005
【図４】
2015077286.tif 000006
【図５】
2015077286.tif 000007
【図６】
2015077286.tif 000008
【図７】
2015077286.tif 000009